(57)【要約】【解決手段】  送信器は、変圧器および変圧器同調回路を含んでいる。変圧器は、差動型無線周波数（ＲＦ）信号をシングルエンド型ＲＦ信号に変換する。変圧器同調回路は、送信器がシングルエンド型ＲＦ信号を第１周波数帯（例えばセルラ周波数帯域）または第２周波数帯（例えばＰＣＳ周波数帯）において送ることを可能にするように変圧器の同調を取る。【選択図】      図４
2011501520.tif 000002
【特許請求の範囲】
【請求項１】
送信器であって、
差動型無線周波数（ＲＦ）信号をシングルエンド型ＲＦ信号に変換するように適合された変圧器と、
前記送信器が第１周波数帯および前記第１周波数帯と異なる第２周波数帯のうちの１つにおいて前記シングルエンド型ＲＦ信号を送ることを可能にするために前記変圧器の同調を取るように適合された変圧器同調回路と、
を具備する送信器。
【請求項２】
前記変圧器同調回路が、前記差動型ＲＦ信号を受け取るように適合された前記変圧器の入力側の同調を取るように適合された第１キャパシタ、を具備する、
請求項１の送信器。
【請求項３】
前記変圧器同調回路が、前記シングルエンド型ＲＦ信号を生成するように適合された前記変圧器の出力側の同調を取るように適合された第２キャパシタ、を具備する、
請求項２の送信器。
【請求項４】
第１基準周波数信号および第２基準周波数信号のうちの１つを受け取ったことに応じて、前記送信器が前記第１周波数帯および前記第２周波数帯のうちの１つにおいて前記シングルエンド型ＲＦ信号を送ることを可能にするために差動型ベースバンド信号を前記差動型ＲＦ信号に変換するように適合されたミキサ、
を具備する、請求項１の送信器。
【請求項５】
前記第１周波数帯および第２周波数帯のうちの１つにおいて前記シングルエンド型ＲＦ信号のための所望の出力電力レベルを提供するために前記送信器の出力インピーダンスを所定の値に維持するように適合された出力整合ネットワークと、
前記送信器が前記第１周波数帯および前記第２周波数帯のうちの１つにおいて所望の出力電力レベルで前記シングルエンド型ＲＦ信号を送ることを可能にするために前記出力整合ネットワークの同調を取るように適合された出力整合ネットワーク同調回路と、
を具備する、請求項１の送信器。
【請求項６】
前記出力整合ネットワーク同調回路が、前記出力整合ネットワークの同調を取るように適合された第３キャパシタ、を具備する、
請求項５の送信器。
【請求項７】
前記送信器が前記第１周波数帯および前記第２周波数帯のうちの１つにおいて前記シングルエンド型ＲＦ信号を送ることを可能にするために前記シングルエンド型ＲＦ信号をそれぞれ第１送信経路および第２送信経路のうちの１つへ接続するように適合された第１および第２スイッチ、
を具備する、請求項１の送信器。
【請求項８】
前記送信器がそれぞれ前記第１周波数帯および前記第２周波数帯のうちの１つにおいて所望の出力電力レベルで前記シングルエンド型ＲＦ信号を送ることを可能にするために前記差動型ＲＦ信号の利得を調整するように適合された増幅器、
を具備する、請求項１の送信器。
【請求項９】
前記送信器によって送られたシングルエンド型ＲＦ信号に相当する送信信号の出力電力レベルを測定するように適合された電力検出器、をさらに具備し、
前記増幅器が、前記差動型ＲＦ信号の利得を前記送信信号の前記出力電力レベルに応じて調整する、
請求項８の送信器。
【請求項１０】
前記増幅器が、差動型ベースバンド信号の利得を前記差動型ＲＦ信号に変換される前に調整するように適合されたベースバンド可変利得アンプを具備する、
請求項８の送信器。
【請求項１１】
前記増幅器が、前記差動型ＲＦ信号の前記利得を調整するように適合された無線周波数可変利得アンプを具備する、
請求項８の送信器。
【請求項１２】
前記第１周波数帯および前記第２周波数帯が、それぞれセルラ周波数帯域およびパーソナルコミュニケーションサービス（ＰＣＳ）周波数帯を具備する、
請求項１の送信器。
【請求項１３】
送信器であって、
差動型ベースバンド信号を濾波して濾波された差動型ベースバンド信号を生成するように適合されたベースバンドフィルタと、
第１基準周波数信号および第２基準周波数信号のうちの１つを受け取ったことに応じて、前記送信器が前記第１周波数帯および前記第２周波数帯のうちの１つにおいて前記シングルエンド型ＲＦ信号を送ることを可能にするために前記濾波された差動型ベースバンド信号を前記差動型ＲＦ信号に変換するように適合されたミキサと、
前記送信器がそれぞれ前記第１周波数帯および前記第２周波数帯のうちの１つにおいて所望の出力電力レベルで前記シングルエンド型ＲＦ信号を送ることを可能にするために前記差動型ＲＦ信号の利得を調整するように適合された増幅器と、
前記差動型ＲＦ信号を前記シングルエンド型ＲＦ信号に変換するように適合された変圧器と、
前記送信器が前記第１周波数帯および前記第２周波数帯のうちの１つにおいて前記シングルエンド型ＲＦ信号を送ることを可能にするために前記変圧器の同調を取るように適合された変圧器同調回路と、
前記シングルエンド型ＲＦ信号を増幅するように適合されたドライバ増幅器と、
前記第１周波数帯および前記第２周波数帯のうちの１つにおいて前記シングルエンド型ＲＦ信号のための前記所望の出力電力レベルを提供するために前記送信器の出力インピーダンスを所定の値に維持するように適合された出力整合ネットワークと、
前記送信器が前記第１周波数帯および前記第２周波数帯のうちの１つにおいて前記所望の出力電力レベルで前記シングルエンド型ＲＦ信号を送ることを可能にするために前記出力整合ネットワークの同調を取るように適合された出力整合ネットワーク同調回路と、
前記送信器が前記第１周波数帯および前記第２周波数帯のうちの１つにおいて前記シングルエンド型ＲＦ信号を送ることを可能にするために前記シングルエンド型ＲＦ信号をそれぞれ第１送信経路および第２送信経路のうちの１つへ接続ように適合された第１および第２スイッチと、
を具備する送信器。
【請求項１４】
前記送信器が半導体ダイ上の集積回路を具備する、
請求項１３の送信器。
【請求項１５】
前記変圧器同調回路が、前記差動型ＲＦ信号を受け取るように適合された前記変圧器の入力側の同調を取るように適合された第１キャパシタを具備する、
請求項１３の送信器。
【請求項１６】
前記変圧器同調回路が、前記シングルエンド型ＲＦ信号を生成するように適合された前記変圧器の出力側の同調を取るように適合された第２キャパシタを具備する、
請求項１５の送信器。
【請求項１７】
前記出力整合ネットワーク同調回路が、前記出力整合ネットワークの同調を取るように適合された第３キャパシタを具備する、
請求項１３の送信器。
【請求項１８】
前記送信器によって送られたシングルエンド型ＲＦ信号に相当する送信信号の出力電力レベルを測定するように適合された電力検出器をさらに具備し、
前記増幅器が、前記差動型ＲＦ信号の利得を前記送信信号の前記出力電力レベルに応じて調整する、
請求項１３の送信器。
【請求項１９】
前記増幅器が、差動型ベースバンド信号の利得を前記差動型ＲＦ信号に変換される前に調整するように適合されたベースバンド可変利得アンプを具備する、
請求項１３の送信器。
【請求項２０】
前記増幅器が、前記差動型ＲＦ信号の前記利得を調整するように適合された無線周波数可変利得アンプを具備する、
請求項１３の送信器。
【請求項２１】
前記第１周波数帯および前記第２周波数帯が、それぞれセルラ周波数帯域およびパーソナルコミュニケーションサービス（ＰＣＳ）周波数帯を具備する、
請求項１３の送信器。
【請求項２２】
送信器を動作する方法であって、
差動型無線周波数（ＲＦ）信号をシングルエンド型ＲＦ信号へ変換することと、
前記送信器が第１周波数帯および前記第１周波数帯と異なる第２周波数帯のうちの１つにおいて前記シングルエンド型ＲＦ信号を送ることを可能にするために前記変圧器の同調を取ることと、
を具備する方法。
【請求項２３】
差動型ベースバンド信号を濾波して濾波された差動型ベースバンド信号とすることと、
第１基準周波数信号および第２基準周波数信号のうちの１つを受け取ったことに応じて前記送信器がそれぞれ前記第１周波数帯および前記第２周波数帯のうちの１つにおいて前記シングルエンド型ＲＦ信号を送ることを可能にするために前記濾波された差動型ベースバンド信号を差動型ＲＦ信号に変換することと、
前記送信器がそれぞれ前記第１周波数帯および前記第２周波数帯のうちの１つにおいて所望の出力電力レベルで前記シングルエンド型ＲＦ信号を送ることを可能にするために前記差動型ＲＦ信号の利得を調整することと、
前記シングルエンド型ＲＦ信号を増幅することと、
前記第１周波数帯および前記第２周波数帯のうちの１つにおいて前記シングルエンド型ＲＦ信号のための前記所望の出力電力レベルを提供するために前記送信器の出力インピーダンスを所定の値に維持することと、
前記送信器が前記第１周波数帯および前記第２周波数帯のうちの１つにおいて前記所望の出力電力レベルで前記シングルエンド型ＲＦ信号を送ることを可能にするために前記出力整合ネットワークの同調を取ることと、
前記送信器が前記第１周波数帯および前記第２周波数帯のうちの１つにおいて前記シングルエンド型ＲＦ信号を送ることを可能にするために前記シングルエンド型ＲＦ信号をそれぞれ第１送信経路および第２送信経路のうちの１つへ接続することと、
をさらに具備する、請求項２２の方法。
【請求項２４】
送信器であって、
差動型無線周波数（ＲＦ）信号をシングルエンド型ＲＦ信号に変換するように適合された変圧器と、
前記送信器が第１周波数帯および前記第１周波数帯と異なる第２周波数帯のうちの１つにおいて前記シングルエンド型ＲＦ信号を送ることを可能にするために前記変圧器の同調を取るように適合された変圧器同調回路と、
を具備する送信器と、
前記変圧器同調回路を制御することによって前記第１周波数帯および前記第２周波数帯の１つを選択するように適合され、かつ前記送信器が前記第１周波数帯および前記第２周波数帯のうちの１つにおいて所望の出力電力レベルで前記シングルエンド型ＲＦ信号を送ることを可能にするために前記差動型ＲＦ信号の利得を調整するように適合されたコントローラと、
を具備する無線通信装置。
【請求項２５】
第１周波数帯および前記第１周波数帯と異なる第２周波数帯のうちの１つにおいて信号を送るように適合された送信器を制御するためのデータプロセッサによって実行可能な機械可読命令の組を具体化する信号担持媒体であって、
前記送信器がそれぞれ前記第１周波数帯および前記第２周波数帯のうちの１つにおいてシングルエンド型ＲＦ信号を送ることを可能にするために差動型ベースバンド信号を差動型ＲＦ信号に変換するために第１基準周波数信号および第２基準周波数信号のうちの１つを選択することと、
前記送信器がそれぞれ前記第１周波数帯および前記第２周波数帯のうちの１つにおいて所望の出力電力レベルで前記シングルエンド型ＲＦ信号を送ることを可能にするために前記差動型ベースバンド信号および前記差動型ＲＦ信号の少なくとも１つの利得を調整することと、
前記送信器が前記第１周波数帯および前記第２周波数帯のうちの１つにおいて前記シングルエンド型ＲＦ信号を送ることを可能にするために前記差動型ＲＦ信号を前記シングルエンド型ＲＦ信号に変換するように適合された変圧器の同調を取ることと、
前記送信器が前記第１周波数帯および前記第２周波数帯のうちの１つにおいて前記所望の出力電力レベルで前記シングルエンド型ＲＦ信号を送ることを可能にするために出力整合ネットワークの同調を取ることと、
前記送信器が前記第１周波数帯および前記第２周波数帯のうちの１つにおいて前記シングルエンド型ＲＦ信号を送ることを可能にするために前記シングルエンド型ＲＦ信号をそれぞれ第１送信経路および第２送信経路のうちの１つへ接続することと、
を具備する、信号担持媒体。
【発明の詳細な説明】
【技術分野】
【０００１】
本発明は、概して無線周波数通信に関する。特に、本発明はデュアルバンド無線周波送信機に関する。
【背景技術】
【０００２】
無線通信装置（例えば携帯電話）用の技術における進歩は、装置の性能標準を維持または改善しながら装置の特性（例えばコスト、サイズ、重さ、および電力）が減じられることを可能にし、これによって、装置のポータビリティは、装置が従来の地上通信線電話を置き換えるものとして現在使用されるところまで改善した。
【０００３】
無線通信装置のコストおよびサイズを減少させることへの１つの有効なアプローチは、装置の複数の機能のために同じ要素を使用することである。このアプローチは、構成要素の集積度を上げることまたは回路の再利用として知られているかもしれない。
【０００４】
この進歩は装置のポータビリティを改善しているが、装置の消費者は装置に対してより多くの機能およびサービスを要求し続けている。例えば、装置メーカーは、２つ以上（例えば２つ）の周波数帯（すなわち複数の帯域）で動作して２つ以上の通信網を有する環境内で装置が動作することを可能にする装置を開発した。例えば、２つの周波数帯で動作する携帯電話はデュアルバンド携帯電話と称され得る。
【０００５】
複数の通信網を有する１つの典型的な環境は、およそ８５０ＭＨｚの搬送周波数を有する周波数帯において動作する符号分割多重アクセス方式（ＣＤＭＡ）として、かつおよそ１９５０ＭＨｚの搬送周波数を有する周波数帯において動作するパーソナルコミュニケーションシステム（Personal Communication System（ＰＣＳ））として知られている規格に従って動作する移動体通信ネットワークである。別の典型的な環境は、スタンダードＧＳＭ用の９００ＭＨｚの搬送周波数を有する周波数帯において動作するＧＳＭ（グローバル移動体通信システム）として、かつＤＣＳ１８００用のおよそ１８００ＭＨｚの搬送周波数を有する周波数帯において動作するディジタル通信システム（ＤＣＳ）として知られている規格に従って動作する移動体通信ネットワークである。ディジタルまたはアナログ通信網中の複数の規格の組合せの様々な他の例は知られているかまたは可能である。
【０００６】
無線通信装置は、通信が生じるための信号を送受信する。送信器（トランシーバから独立しているかあるいはその一部である）は、無線通信装置の信号を受け取る。送信器は、典型的には、該装置によって内部で生成される、送信のためのベースバンド信号を受け取る。ベースバンド信号は、ディジタル信号（複素信号として知られている）、例として同相（Ｉ）および直交位相（Ｑ）信号、のような形態であり得る。典型的には、送信器は、次にベースバンド信号のディジタル／アナログ変換、周波数変調、および電力増幅の形態を行なう。
【０００７】
複数の周波数帯において動作する無線通信装置は、各周波数帯において信号を送信する必要があり、それによって複数の送信機能を必要とする。例えば、これはディジタル／アナログ変換、周波数変調、および電力増幅の各機能のための複数の別個の機能を有することを必要とし得る。具体的には、例えばデュアルバンド送信器は２つの別個の送信信号経路で実現され得る。１つは、高周波帯域送信器（例えば１９５０ＭＨｚ）用であり、もう１つは低周波帯域送信器（例えば８５０ＭＨｚ）用である。しかしながら、２つの別個の送信信号経路は、デュアルバンド能力をサポートする無線通信装置のコストおよびサイズ（例えば集積回路のダイ領域）を増加させる。
【０００８】
図１および図２において示されているようなデュアルバンド送信器のコストおよびサイズは、装置の性能標準を維持または改善しながら無線通信装置の技術における進歩によって減少させられることが可能である。図１および図２は、先行技術による、第１（１００）および第２（２００）のデュアルバンド無線周波数（ＲＦ）送信器のブロック図表示をそれぞれ図示している。
【０００９】
図１において、デュアルバンドＲＦ送信器１００は、ベースバンドフィルタ１０２、電圧制御発振機（ＶＣＯ）１０８、局部発振器（ＬＯ）バッファ１１０、２つの分周器１１２（４で分周）および１１４（２で分周）、２つのミキサ１０４および１０６、２つのＲＦ可変利得アンプ（ＶＧＡ）１１６および１２４、２つの変圧器１１８および１２６、２つのドライバ増幅器（ＤＡ）１２０および１２８、ならびに２つのＲＦ  ＳＡＷフィルタ１２２および１３０を含んでいる。図１は、面積を、２つのミキサ１０４および１０６、２つのＲＦ  ＶＧＡ１１６および１２４、２つのＤＡ１２０および１２８の各々についての１８０ナノメートルＣＭＯＳ半導体製造プロセスを用いて集積回路ダイ上で必要とされる幅および長さ（ｗ／Ｌ）の観点で、記述している。ベースバンドフィルタ１０２、ＶＣＯ１０８、ＬＯバッファ１１０、分周器１１２（４で分周）、ミキサ１０４、ＲＦ  ＶＧＡ１１６、変圧器１１８、ＤＡ１２０およびＲＦ  ＳＡＷフィルタ１２２は、例えばセルラ周波数帯域において送信信号を生成するように構成されている第１送信経路のための要素を提供する。ベースバンドフィルタ１０２、ＶＣＯ１０８、ＬＯバッファ１１０、分周器１１４（２で分周）、ミキサ１０６、ＲＦ  ＶＧＡ１２４、変圧器１２６、ＤＡ１２８およびＲＦ  ＳＡＷフィルタ１３０は、例えばＰＣＳ周波数帯において送信信号を生成するように構成されている第２送信経路のための要素を提供する。ベースバンドフィルタ１０２、ＶＣＯ１０８、およびＬＯバッファ１１０は、第１および第２送信経路の各々に対して共通であるとともに再利用され、これによって、これらの共有要素についての集積回路ダイ面積および関連するコストを減ずる。
【００１０】
図２において、デュアルバンドＲＦ送信器２００は、ベースバンドフィルタ１０２、ＶＣＯ１０８、ＬＯバッファ１１０、２つの分周器１１２（４で分周）および１１４（２で分周）、バッファ１３２、１つのミキサ１０４、１つのＲＦ  ＶＧＡ１１６、２つの変圧器１１８および１２６、２つのＤＡ１２０および１２８、２つのＲＦ  ＳＡＷフィルタ１２２および１３０を含んでいる。図２は、面積を、ミキサ１０４、ＲＦ  ＶＧＡ  １１６、２つのＤＡ１２０および１２８の各々についての１８０ナノメートルＣＭＯＳプロセスを用いて集積回路ダイ上で必要とされる幅および長さ（ｗ／Ｌ）の観点で、記述している。ベースバンドフィルタ１０２、ＶＣＯ１０８、ＬＯバッファ１１０、分周器１１２（４で分周）、バッファ１３２、ミキサ１０４、ＶＧＡ１１６、変圧器１１８、ＤＡ１２０、およびＲＦ  ＳＡＷフィルタ１２２は、例えばセルラ周波数帯域において送信信号を生成するように構成されている第１送信経路のための要素を提供する。ベースバンドフィルタ１０２、ＶＣＯ１０８、ＬＯバッファ１１０、分周器１１４（２で分周）、バッファ１３２、ミキサ１０４、ＶＧＡ１１６、変圧器１２６、ＤＡ１２８、およびＲＦ  ＳＡＷフィルタ１３０は、例えばＰＣＳ周波数帯において送信信号を生成するように構成されている第２送信経路のための要素を提供する。ベースバンドフィルタ１０２、ＶＣＯ１０８、ＬＯバッファ１１０、バッファ１３２、ミキサ１０４、およびＶＧＡ１１６は、第１および第２送信経路の各々に対して共通であるとともに再利用され、これによって、これらの共有要素についての集積回路ダイ領域および関連するコストを減ずる。したがって、図２におけるデュアルバンド送信器２００は、図１におけるデュアルバンド送信器１００中で使用されるミキサ１０６およびＶＧＡ１２４に必要とされた集積回路ダイ領域および関連するコストを減じ、このことは減少分よりもはるかに小さなバッファ１３２についての集積回路ダイ領域および関連コストを加えることによってなされている。
【００１１】
したがって、性能を維持または改善することを継続しながら、図１および図２においてそれぞれ示されているデュアルバンド送信器１００および２００について記述されているもの以上にデュアルバンド送信器に必要とされている集積回路ダイ領域および関連するコストを減じ続けることが望ましい。
【発明の概要】
【００１２】
本発明は、無線通信装置、無線周波数集積回路、無線周波送信器、方法、装置、および（または）システムを提供する。本装置は、データ処理システム（それらは本方法を行なう）、およびデータ処理システム上で実行されるとこのデータ処理システムに本方法を行なわせる実行可能アプリケーションを格納するコンピュータ可読媒体を含み得る。
【００１３】
本発明の一側面によれば、送信器は変圧器および変圧器同調回路を含んでいる。本変圧器は、差動型無線周波数（ＲＦ）信号をシングルエンド型ＲＦ信号に変換する。本変圧器同調回路は、送信器が第１周波数帯（例えばセルラ周波数帯域）または第１周波数帯と異なる第２周波数帯（例えばＰＣＳ周波数帯）においてシングルエンド型ＲＦ信号を送信することを可能にするように変圧器の同調を取る。
【００１４】
これらのおよび本発明の他の側面は、添付図面、および次の詳細な記述から明らかになるであろう。
【図面の簡単な説明】
【００１５】
本発明の側面は、添付図面の図中において限定ではなく例として図示されている。図面において同様の参照番号は対応する要素を指している。
【図１】図１は、先行技術に従った第１の無線周波送信器のブロック線図表示を図示している。
【図２】図２は、先行技術に従った第２の無線周波送信器のブロック線図表示を図示している。
【図３】図３は、本発明の一側面に従った無線通信装置のブロック線図表示を図示している。
【図４】図４は、本発明の一側面に従った無線周波送信器のブロック線図表示を図示している。
【図５】図５は、本発明の一側面に従った、図４に示されているような無線周波送信器についての特性表を図示している。
【図６】図６は、本発明の一側面に従った、図４に示されているような無線周波送信器によって行なわれる方法を図示している。
【発明を実施するための形態】
【００１６】
以下の記述および図面は発明の例証であり、発明を限定するものとして解釈されるべきではない。多くの詳細事項は、本発明についての完全な理解を提供するために、記述されている。しかしながら、ある事例においては、よく知られているか従来の詳細事項は、本発明の記述を不明瞭にしないようにするために、記述されていない。一実施形態に対する言及または本開示中の実施形態は、必ずしも同じ実施形態ではなく、そのような言及は１つ以上の実施形態を含んでいる。
【００１７】
図３は、本発明の一側面による無線通信装置３００のブロック線図表示を図示している。装置３００は、例えば携帯電話のようなあらゆる種類の装置であり得、または移動電話、セル（cell phone（携帯電話））、無線電話、携帯電話（portable phone）、移動局、コードレス電話機などと称される。装置３００は、（例えば）無線周波数を含め、周波数スペクトルのあらゆる部分を使用するあらゆる種類の無線技術、および赤外線周波数を使用し得る。
【００１８】
典型的には、装置３００は１つ以上の通信規格またはプロトコルに従って、例えば１つ以上の基地局（ＢＳ）（図示せず）を介して通信網（図示せず）と通信して他の無線通信装置または他の装置、例として地上通信線電話、コンピュータ、サーバ、と通信する。しかしながら、装置３００は、他の無線通信装置と通信網を経ずに直接通信し得る。本明細書において提供されている例は具体的な通信規格またはプロトコルに関するが、本発明の原理は無線通信のあらゆる形態に概して適用可能である。通信規格またはプロトコルとは、例えばＣＤＭＡ、ＴＤＭＡ、ＦＤＭＡ、ＧＳＭ、ＰＣＳまたはその組合せのような、あらゆる規格またはプロトコルを指す。
【００１９】
装置３００は、固定されているもの（すなわち固定型）および（または）モバイル型（すなわち携帯型）であり得る。装置３００は、下記の１つ以上を含み、これらに限定されない様々な形態で実現され得る：携帯電話、パーソナルコンピュータ（ＰＣ）、デスクトップコンピュータ、ラップトップコンピュータ、ワークステーション、ミニコンピュータ、メインフレーム、スーパーコンピュータ、ネットワークに基づいた装置、データプロセッサ、携帯情報端末（ＰＤＡ）、スマートカード、ページャー、また腕時計である。
【００２０】
装置３００は、他にもある要素のうち、コントローラ３０２、送信器３０４、受信器３０６、メモリ３０８、およびユーザーインターフェース３１０を含んでいる。無線通信装置中で典型的に見られる他の要素（図示せず）は、例えば、アンテナ、電源、および全地球測位受信器を含み得る。
【００２１】
コントローラ３０２（またはプロセッサと称される）は、送信器３０４、受信器３０６、メモリ３０８、およびユーザーインターフェース３１０の機能を、そのような要素に制御信号を提供することによって、制御する。コントローラ３０２はそのような要素の１つ以上から入力信号を受け取ることに応じて制御信号を提供し得る。送信器３０４はＢＳ受信器（図示せず）に通信信号を送る。受信器３０６はＢＳ送信器（図示せず）から通信信号を受け取る。
【００２２】
送信器３０４および受信器３０６は、通信リンク上でそれぞれ送られるおよび受け取られた通信信号の処理に必要な機能を行なうためのトランシーバをともに提供する。通信リンク（または通信チャネルまたは通信経路と称される）は、典型的に１つ以上の基地局（図示せず）のような別の構成要素への無線周波数通信リンクである。
【００２３】
メモリ３０８は、例えばコンピュータメモリ装置または他の有形的なコンピュータ可読記憶媒体のようなあらゆる種類のデータ記憶装置を表わしている。メモリ装置は、装置３００の具体的な実現形態に依存して１つ以上の場所に位置するとともに１つ以上の技術として実現される１つ以上のメモリ装置を表わしている。また、メモリ３０８は、コントローラ３０２によって読取り可能でかつデータおよび（または）工程を具体化する一連の命令を格納することが可能なあらゆるタイプのものであり得る。メモリ装置の例は、ＲＡＭ、ＲＯＭ、ＥＰＲＯＭ、ＥＥＰＲＯＭ、ＰＲＯＭ、（ハードまたはフロッピー（登録商標））ディスク、ＣＤ−ＲＯＭ、ＤＶＤ、フラッシュメモリなどを含む（しかし、これらに限定されない）。
【００２４】
ユーザーインターフェース３１０はデータ入力デバイスおよびデータ出力デバイス（各々図示せず）をさらに提供し得る。データ入力デバイスは、典型的には、ユーザから手動でまたは別の電子機器から自動で入力データを受け取ったことに応じて、コントローラ３０２にデータを提供する。手動入力については、データ入力デバイスは、キーボードおよびマウスであり得るだけでなく、例えばタッチスクリーン、キーパッド、またはマイクロホンおよび音声認識アプリケーションでもあり得る。
【００２５】
データ出力デバイスは、典型的には、ユーザまたは別の電子機器による使用のために、コントローラからのデータを提供する。ユーザへの出力については、データ出力デバイスは、コントローラ３０２からディスプレイ信号を受け取ったことに応じて１つ以上の表示画像を生成するディスプレイであり得るだけでなく、スピーカまたはプリンタでもあり得る。表示画像の例は、例えばテキスト、グラフィック、映像、写真、画像、グラフ、チャート、形状、数字などを含む。
【００２６】
図４は、本発明の一側面によるコントローラ３０２によって制御される送信器３０４のブロック線図表示を図示している。送信器３０４はデュアルバンド送信器として実現されている。
【００２７】
例えば、送信器３０４の一部は無線周波数集積回路（ＲＦＩＣ）４０２として実現されている。ＲＦＩＣ４０２は、ベースバンド（ＢＢ）可変利得アンプ（ＶＧＡ）４０４、ベースバンドフィルタ１０２、ＶＣＯ１０８、ＬＯバッファ１１０、２つの分周器１１２（４で分周）および１１４（２で分周）、バッファ１３２、１つのミキサ１０４、１つのＲＦ  ＶＧＡ１１６、１つの変圧器１１８、変圧器同調回路４２２および４２３、１つのドライバ増幅器１２０、同調４２７を備えた出力整合ネットワーク４２６、２つのＲＦスイッチ４２８および４３０を含んでいる。個々に、個別の要素として、ＲＦＩＣ４０２中の要素の各々の機能は当技術においてよく知られている。これらの要素を集積回路中に統合することは、装置３００がより少ないコストおよびより小さなサイズで製造されることを可能にする。あるいは、図４においてＲＦＩＣ４０２内にあるとして示されている１つ以上の要素がＲＦＩＣ４０２の外部で実現されてもよい。
【００２８】
ＲＦＩＣ４０２の外部で、送信器３０４は、さらに１つのＤＡ変換器（ＤＡＣ）４０６、２つのＲＦ  ＳＡＷフィルタ１２２および１３０、２つの電力増幅器（ＰＡ）４４０および４５０、２つの電力結合器４４２および４５２、２つのフィルタ４４４および４５４、２つのアンテナ４４６および４５６、ならびに少なくとも１つの電力検出器４５８を含んでいる。個々に、個別の要素として、ＲＦＩＣ４０２の外部の要素の各々の機能は当技術においてよく知られている。技術における進歩は、１つのＲＦ  ＳＡＷフィルタ１２２、１つの電力増幅器（ＰＡ）４４０、１つの電力結合器４４２、１つのフィルタ４４４、および１本のアンテナ４４６のみの使用を、そのような要素が複数の送信周波数帯域をサポートすることが可能である場合、可能にし得る。さらに、技術における進歩は、１つまたは２つのＲＦ  ＳＡＷフィルタ１２２および１３０、１つまたは２つの電力増幅器（ＰＡ）４４０および４５０、１つまたは２つの電力結合器４４２および４５２、１つまたは２つのフィルタ４４４および４５４、ならびに１本または２本のアンテナ４４６および４５６によって提供される機能のうちのいくつかが、一方または両方の送信経路における他の要素の機能と結合されるか、一方または両方の送信経路から取り除かれたりすることを可能にし得る。さらに、図４においてＲＦＩＣ４０２の外部にあると示されている１つ以上の要素が、ＲＦＩＣ４０２の内部で実現され得る。
【００２９】
ＤＡＣ４０６、ＢＢ  ＶＧＡ４０４、ベースバンドフィルタ１０２、ＶＣＯ１０８、ＬＯバッファ１１０、分周器１１２（４で分周）、バッファ１３２、ミキサ１０４、ＶＧＡ１１６、変圧器１１８、変圧器同調回路４２２および４２３、ドライバ増幅器１２０、同調４２７を備えた出力整合ネットワーク４２６、ならびにＲＦスイッチ４２８は、例えばセルラ周波数帯域において送信信号を生成するように構成されている第１送信経路のためのＲＦＩＣ４０２中の要素を提供する。
【００３０】
ＤＡＣ４０６、ＢＢ  ＶＧＡ４０４、ベースバンドフィルタ１０２、ＶＣＯ１０８、ＬＯバッファ１１０、分周器１１４（２で分周）、バッファ１３２、ミキサ１０４、ＶＧＡ１１６、変圧器１１８、変圧器同調回路４２２および４２３、ドライバ増幅器１２０、同調４２７を備えた出力整合ネットワーク４２６、ならびにＲＦスイッチ４３０は、例えばＰＣＳ周波数帯において送信信号を生成するように構成されている第２送信経路のための要素を提供する。
【００３１】
ＤＡＣ４０６、ＢＢ  ＶＧＡ４０４、ベースバンドフィルタ１０２、ＶＣＯ、ＬＯバッファ１１０、バッファ１３２、ミキサ１０４、ＶＧＡ１１６、変圧器１１８、変圧器同調回路４２２および４２３、ドライバ増幅器１２０、同調４２７を備えた出力整合ネットワーク４２６は、第１および第２送信経路の各々に共通で再利用され、これによってこれらの共通の要素のための集積回路ダイ領域および関連コストを減じる。したがって、図４中のデュアルバンド送信器３０４は、図２中のデュアルバンド送信器２００中で使用される変圧器１２６およびドライバ増幅器１２８（これらは図４中のデュアルバンド送信器３０４に除去されている）のために必要な集積回路ダイおよび関連コストをさらに減じる。図４は、面積を、ミキサ１０４、ＶＧＡ１１６、およびドライバ増幅器１２０の各々についての１８０ナノメートルＣＭＯＳプロセスを使用して集積回路ダイ上で必要とされる幅および長さ（ｗ／Ｌ）の観点で、記述している。
【００３２】
概して、動作において、ディジタル送信ベースバンド信号（例えば、ダブルエンド型または差動型直角位相Ｉ信号およびＱ信号）は、ＤＡＣ４０６によってディジタル信号からアナログ信号に変換され、ＢＢ  ＶＧＡ４０４によって利得調整され、ベースバンドフィルタ１０２によって濾波され、ミキサ１０４によって周波数アップコンバートされて、分周器１１２または１１４からの２つの局部発振器周波数信号のうちの１つを受け取ることに応じて、差動型送信ＲＦ信号を送る。ＶＧＡ１１６は受け取られた差動型送信ＲＦ信号に対して電力および（または）利得制御を提供する。変圧器１１８は、ＶＧＡの出力における利得制御された差動型送信ＲＦ信号を、変圧器１１８の一次側におけるダブルエンド型信号から変圧器１１８の二次側におけるシングルエンド型信号へと変換する。ドライバ増幅器１２０は、ＲＦスイッチ４２８または４３０の一方を介して、ＲＦＩＣ４０２による出力のためのシングルエンド型信号に対して電力／利得制御および信号増幅を提供する。
【００３３】
コントローラ３０２は、送信器３０４を第１送信周波数帯域（例えばセルラ周波数帯域のような低周波数帯）、または第２送信周波数帯域（例えばＰＣＳ周波数帯のような高周波帯域）で動作させるための周波数帯選択４３４および利得調整４３６のための制御機能を含んでいる。第１および第２送信周波数帯域は、２つの任意の送信周波数信号を送るように適合された２つの任意の送信周波数帯域であり得る。さらに、２つを超える送信周波数信号を送るように適合された２つを超える送信周波数帯域が実現され得る。
【００３４】
周波数帯選択４３４は、Ａ、Ｂ、Ｃ、およびＤと概して識別されている送信器３０４の部分を制御するための制御信号を提供する。周波数帯選択４３４は、分周器１１２（４で分周）または分周器１１４（２で分周）を選択することによって、制御信号を提供して送信器部分Ａを制御する。周波数帯選択４３４は、キャパシタ４２２（Ｃｔｕｎｅ）および４２３（Ｃｔｕｎｅ２）（またはキャパシタンス同調タンクと呼ばれる）を特定の値に同調させることによって、制御信号を提供して送信器部分Ｂを制御する。周波数帯選択４３４は、キャパシタ４２７（Ｃｔｕｎｅ３）を具体的な値に同調させることによって、制御信号を提供して送信器部分Ｃを制御する。周波数帯選択４３４は、ＲＦスイッチ４２８またはＲＦスイッチ４３０のいずれかを選択することによって、制御信号を提供して送信器部分Ｄを制御する。
【００３５】
利得調整４３６は、Ｅとして概して識別されている送信器３０４の部分を制御するための制御信号を提供する。利得調整４３６は、送信信号（Ｔｘ  ＩＱ）の電力レベルを特定の値に調整することによって、制御信号を提供して送信器部分Ｅを制御する。送信信号の電力レベルはベースバンド周波数でＢＢ  ＶＧＡ４０４の出力振幅を調整することによって、および（または）無線周波数でＲＦ  ＶＧＡ１１６の利得を調整することによって、または他の所望の方法によって、調整され得る。入力信号の電力レベルは、電力検出器４５８によって測定されるような、電力増幅器４４０または４５０からの電力結合器４４２または４５２を介したフィードバック信号に応じてそれぞれ調整され得、またはフィードバック信号を使用せずに所定の値によって調整され得る。
【００３６】
コントローラ３０２は、周波数帯選択４３４に、分周器１１２（４で分周）を選択し、キャパシタ４２２（Ｃｔｕｎｅ）を３．７ｐＦに同調させ、キャパシタ４２３（Ｃｔｕｎｅ２）を１．０ｐＦに同調させ、およびＲＦスイッチ４２８を選択するようにさせることによって、送信器３０４を第１送信周波数（例えば低帯域、セルラ周波数）で動作させる。また、コントローラ３０２は、例えば出力電力を最適化するようにキャパシタ４２７（Ｃｔｕｎｅ３）の同調を取ることによって出力整合ネットワーク（ＯＭＮ）の同調を取ることによって、送信器３０４を第１送信周波数（例えば低帯域、セルラ周波数）で動作させる。また、コントローラ３０２は、利得調整４３６に送信信号Ｔｘ  ＩＱのベースバンド入力電力レベルを０．６に調整させることによって、送信器３０４を第１送信周波数（例えば低帯域、セルラ周波数）で動作させる。
【００３７】
コントローラ３０２は、周波数帯選択４３４に、分周器１１２（２で分周）を選択し、キャパシタ４２２（Ｃｔｕｎｅ）を０．０ｐＦに同調させ、キャパシタ４２３（Ｃｔｕｎｅ２）を０．０ｐＦに同調させ、およびＲＦスイッチ４３０を選択するようにさせることによって、送信器３０４を第２送信周波数（例えば高帯域、ＰＣＳ周波数）で動作させる。また、コントローラ３０２は、例えば出力電力を最適化するようにキャパシタ４２７（Ｃｔｕｎｅ３）の同調を取ることによって出力整合ネットワーク（ＯＭＮ）の同調を取ることによって、送信器３０４を第２送信周波数（例えば高帯域、ＰＣＳ周波数）で動作させる。また、コントローラ３０２は、利得調整４３６に送信信号Ｔｘ  ＩＱのベースバンド入力電力レベルを０．８に調整させることによって、送信器３０４を第２送信周波数（例えば高帯域、ＰＣＳ周波数）で動作させる。
【００３８】
キャパシタ４２２（Ｃｔｕｎｅ）および４２３（Ｃｔｕｎｅ２）は、変圧器１１８の同調を取るための、変圧器１１８の一次（すなわち入力）および二次（すなわち出力）側のキャパシタンス同調タンクをそれぞれ形成する。キャパシタ４２７（Ｃｔｕｎｅ３）は、ドライバ増幅器１２０のための出力整合ネットワーク（ＯＭＮ）４２６の同調を取る。調整可能ＯＭＮ４２６は、出力インピーダンスを目標値（例えば５０オーム）に維持することによって、所望の周波数帯において最適な出力電力レベルを提供する。２つのキャパシタ４２２および４２３は変圧器１１８の同調を取るために使用され、また１つのキャパシタ４２７が出力整合ネットワーク４２６の同調を取るために使用されるが、各要素のキャパシタの数および位置は変わり得る。例えば、キャパシタ４２３（Ｃｔｕｎｅ２）は、変圧器１１８の入力（すなわち一次側）に位置するキャパシタ４２２（Ｃｔｕｎｅ）とで一方が、またはこれに代えて、またはこれとの組合せで、変圧器１１８の出力（すなわち二次側）に位置し得る。さらに、他の技術または要素が、キャパシタの同調を取るのではなく、変圧器１１８の周波数特性および（または）出力整合ネットワーク４２６のインピーダンス特性を変えるために使用され得る。
【００３９】
図５は、本発明の一側面に従った、（図４に示されているような）送信器３０４についての特性表５００を図示している。表５００は、列５０１〜５０６および行５０７〜５１０を含んでいる。
【００４０】
列５０１（「Ｃｔｕｎｅ／Ｃｔｕｎｅ２（ｐＦ）」と記述されている）は、キャパシタ４２２および４２３の同調を取るためのキャパシタ値を記述している。同調キャパシタ４２２および４２３のキャパシタ値はコントローラ３０２の帯域選択部４３４によって調整される。キャパシタ値は、第１および第２周波数帯の１つにおいて送信信号を送りながら送信器３０４の適切な性能をもたらすためにデザイン、実験、および（または）試験によって決定される。例えば、キャパシタ４２２および４２３は、送信器３０４が第１周波数帯（例えばセルラ用の低周波数帯）において適切な信号を送ることを可能にするように、３．７ｐＦおよび１．０ｐＦにそれぞれ同調させられる。また、例えば、キャパシタ４２２および４２３は、送信器３０４が第２周波数帯（例えばＰＣＳ用の高周波帯域）において適切な信号を送ることを可能にするように各々、０．０ｐＦに同調させられる。
【００４１】
列５０２（「ＢＢ入力」と記述されている）は、送信信号Ｔｘ  ＩＱについてのベースバンド入力電力レベルを記述している。送信信号Ｔｘ  ＩＱについてのベースバンド入力電力レベルは、コントローラ３０２の利得調整部４３６によって調整される。送信信号（Ｔｘ  ＩＱ）についてのベースバンド入力電力レベルは、第１および第２周波数帯の１つにおいて送信信号を送りながら送信器３０４の適切な性能をもたらすためにデザイン、実験、および（または）試験によって決定される。例えば、送信信号（Ｔｘ  ＩＱ）についいてのベースバンド入力電力レベルは、送信器３０４が第１周波数帯（例えばセルラ用低周波数帯）において適切な信号を送ることを可能にするように０．８に調整される。さらに、例えば、送信信号（Ｔｘ  ＩＱ）についてのベースバンド入力電力レベルは、送信器３０４が第２周波数帯（例えばＰＣＳ用高周波帯域）において適切な信号を送ることを可能にするように０．６に調整される。
【００４２】
列５０３（「周波数（Ｈｚ）」と記述されている）は所望の送信周波数帯域を記述している。所望の送信周波数帯域は、分周器１１２および１１４の一方によって局部発振器周波数を選択すること、変圧器１１８の同調を取ること、および対応するＲＦスイッチ４２８および４３０を選択することによってコントローラ３０２の帯域選択部４３４によって選択される。所望の送信周波数帯域は、第１および第２周波数帯のうちの１つにおいて送信信号を送りながら送信器３０４の適切な性能をもたらすために、デザイン、実験および（または）試験によって決定される。例えば、送信周波数帯域は、送信器３０４が第１周波数帯（例えばセルラ用低周波数帯）において適切な信号を送ることを可能にするように８５０ＭＨｚに選択される。また、例えば、送信周波数帯域は、送信器３０４が第２周波数帯（例えばＰＣＳ用高周波帯域）において適切な信号を送ることを可能にするように１．９５ＧＨｚに選択される。
【００４３】
列５０４（「Ｉｄａ（ｍＡ）」と記述されている）は、ドライバ増幅器１２０についての電流を記述している。ドライバ増幅器１２０についての電流は、送信器３０４が第１および第２周波数帯の１つにおいて送信信号を送るときに測定された（または割り出された）送信器３０４の性能特性である。例えば、送信器３０４が第１または第２周波数帯において適切な信号を送ることを可能にするための許容可能な電流は、約２５ｍＡである。
【００４４】
列５０５（「Ｐｏｕｔ」（ｄＢｍ）と記述されている）は、それぞれ、ＲＦスイッチ４２８および４３０の後でＳＡＷフィルタ１２２および１３０の前の送信器３０４の出力電力を記述している。送信器３０４の出力電力は、送信器３０４が第１および第２周波数帯の一方または両方において送信信号を送るときに測定された（または割り出された）送信器３０４の性能特性である。例えば、送信器３０４が第１および第２周波数帯の一方または両方において適切な信号を送ることを可能にするための送信器３０４の出力電力は、約１０ｄＢｍである。
【００４５】
列５０６（「７ｄＢｍでのＡＣＰＲ」と記述されている）は、送信器３０４についての隣接チャネル電力比（ＡＣＰＲ）（または隣接チャネル漏れ比率（ＡＣＬＲ）と称される）を記述している。送信器３０４についてのＡＣＰＲは、送信器３０４が第１および第２周波数帯の１つにおいて送信信号を送るときに測定された（または割り出された）送信器３０４の性能特性である。ＡＣＰＲは、別の装置のための隣接周波数チャネルの干渉の量（すなわち電力）の測定値である。ＡＣＰＲは、通常、送られた周波数チャネルの平均電力に対する隣接周波数チャネル（またはオフセット）の平均電力の比率として定義される。ＡＣＰＲはＣＤＭＡ送信器およびそれらの構成要素にとって重要な測定値である。ＡＣＰＲは、送信器３０４中の要素のようなＲＦ構成部品中の非線形性により生成された歪みの量を記述している。ＡＣＰＲは、ユーザのチャネルに隣接するスペクトルのエネルギー（これは非線形系によって通過させられる）を測定する定量化可能な方法である。システムのＡＣＰＲを取得するために、ユーザの割り当てられた送信チャネルの帯域幅中のスペクトルのエネルギーが測定される必要がある。次に、隣接チャネルのスペクトルのエネルギーが測定される必要がある。一旦、両方の測定値が得られたら、２つの比率が計算される（よって、名前ＡＣＰＲ）。例えば、送信器３０４が第１および第２周波数帯の一方または両方において適切な信号を送ることを可能にするための送信器３０４についてのＡＣＰＲは、７ｄＢｍの出力電力で約５３．６である。
【００４６】
列５０１、５０２、および５０３は、コントローラ３０２によって送信器３０４に提供される制御信号を表わす情報を記述している。列５０４、５０５、および５０６は、送信器３０４によってコントローラ３０２または装置３００内または外部のテスト装置に供給される性能データの測定値を表わす情報を記述している。したがって、列５０１、５０２、および５０３において表わされているような送信器３０４に提供される制御信号について、送信器３０４は、列５０４、５０５、および５０６において表わされているような測定された性能データを提供する。
【００４７】
行５０７は、送信器３０４が、キャパシタ４２２および４２３（Ｃｔｕｎｅ／Ｃｔｕｎｅ２）を各々０ｐＦに同調させ、送信信号（Ｔｘ  ＩＱ）ベースバンド入力電力レベルを０．６に設定し、また（例えば分周器１１４およびＲＦスイッチ４３０の選択によって）送信周波数帯域をＰＣＳ用の１．９５ＧＨｚに設定するための制御信号を受け取ることを記述している。行５０７は、ドライバ増幅器１２０についての２５．６８ｍＡ、ＲＦスイッチ４３０の出力における１０．１３ｄＢｍの出力電力、および７ｄＢｍでの５３．８のＡＣＰＲの対応する測定された性能データを提供することを記述している。行５０７はデフォルト条件および（または）送信器３０４の初期状態を表わし得る。行５０７において、列５０１、５０２、および５０３における制御信号は、送信器３０４が第２周波数帯（例えばＰＣＳ用高周波帯域）において適切な信号を送ることを可能にするための適切な対応する測定された性能データを列５０４、５０５、および５０６において提供している。
【００４８】
行５０８は、送信器３０４が、キャパシタ４２２および４２３（Ｃｔｕｎｅ／Ｃｔｕｎｅ２）を各々０ｐＦに同調させ、送信信号（Ｔｘ  ＩＱ）ベースバンド入力電力レベルを０．６に設定し、また送信周波数を８５０ＭＨｚに設定するための制御信号を受け取るとともに、ドライバ増幅器１２０についての２０．６９ｍＡと、ＲＦスイッチ４３０の出力における−１４．４０ｄＢｍの出力電力と、適用可能でない（ｎ／ａ）ＡＣＰＲと、の測定された性能データを提供すること、を記述している。行５０８において、列５０１および５０２中の値は行５０７での値と同じであるが、値の列５０３は第１周波数帯（例えばセルラ用の８５０ＭＨｚ）に変わっている。行５０８において、列５０１、５０２、および５０３における値は、送信器３０４が第１周波数帯（例えばセルラ用低周波数帯）において適切な信号を送ることを可能にするのに適切な対応する測定された性能データを列５０４、５０５、および５０６において提供していない。したがって、列５０１および列５０２で表わされている値に対する値のさらなる検討が、行５０９に示されているように、必要である。
【００４９】
行５０９は、送信器３０４が、キャパシタ４２２および４２３（Ｃｔｕｎｅ／Ｃｔｕｎｅ２）をそれぞれ３．７／１．０ｐＦに同調させ、送信信号（Ｔｘ  ＩＱ）ベースバンド入力電力レベルを０．６に設定し、また送信周波数を８５０ＭＨｚに設定するための制御信号を受け取るとともに、ドライバ増幅器１２０についての２１．８６ｍＡと、ＲＦスイッチ４３０の出力における４．０４ｄＢｍ出力電力と、５３．６のＡＣＰＲと、の測定された性能データを提供すること、を記述している。行５０９において、列５０２および５０３中の値は行５０８での値と同じであるが、値の列５０１はキャパシタ４２２および４２３についての値（例えば、それぞれ３．７ｐＦおよび１．０ｐＦ）に変わっている。行５０９において、列５０１、５０２、５０３における値は、まだ、送信器３０４が第１周波数帯（例えばセルラ用低周波数帯）において適切な信号を送ることを可能にするのに適切な対応する測定された性能データを、列５０４および５０５の各々において依然提供していないが、列５０６においては許容可能である。したがって、列５０１および５０２で表わされている値に対する値のさらなる検討が、行５１０に示されるように、必要である。
【００５０】
行５１０は、送信器３０４が、キャパシタ４２２および４２３（Ｃｔｕｎｅ／Ｃｔｕｎｅ２）をそれぞれ３．７／１．０ｐＦに同調させ、送信信号（Ｔｘ  ＩＱ）ベースバンド入力電力レベルを０．６に設定し、また送信周波数を８５０ＭＨｚに設定するための制御信号を受け取るとともに、ドライバ増幅器１２０についての２５．５２ｍＡと、ＲＦスイッチ４３０の出力における９．９５ｄＢｍ出力電力と、５３．６のＡＣＰＲと、の測定された性能データを提供すること、を記述している。行５１０において、列５０１および５０３における値は行５０９での値と同じであるが、値の列５０２はベースバンド入力電力についての値０．８に変わっている。行５１０において、今度は、列５０１、５０２、および５０３における値は、送信器３０４が第１周波数帯（例えばセルラ用低周波数帯）において適切な信号を送ることを可能にするのに適切な対応する測定された性能データを、列５０４、５０５、および５０６の各々において提供している。列５０２におけるベースバンド入力電力についての値の変更に代えてまたはこれに加えて、キャパシタ４２２、４２３、および（または）４２７の値は、列５０４、５０５、および５０６の各々において適切な対応する測定された性能データを提供するために変更され得る。しかしながら、集積回路のための製造工程は、キャパシタ４２２、４２３、および（または）４２７に必要な値を限定し得る。したがって、キャパシタ４２２、４２３、および（または）４２７についての望ましい値が、入力信号の電力レベルについての値を調整することとともにまたは無しでＲＦＩＣ４０２の外部で提供され得ながら、ＲＦＩＣ４０２内のキャパシタ４２２、４２３、および（または）４２７を維持して装置３００のコストおよびサイズを最小化することが望ましい。
【００５１】
図６は、本発明の一側面に従った、図４において示されているような送信器３０４によって行なわれる方法６００を図示している。送信器３０４は、コントローラ３０２から制御信号（または命令、コマンド、あるいは値と称される）を受け取ることに応じて方法６００を行なう。コントローラ３０２は、メモリ３０８に格納されているコンピュータ可読命令を受けることに応じて制御信号を提供する。図６に示されている機能は、示されているのとは異なった順序で行なわれ得、いくつかの機能が送信器３０４のデザインに依存して、除去されてもよいし、修正されてもよい。
【００５２】
ブロック６０１において、方法６００は、例えば装置３００についての別の工程から継続することとして始まる。
【００５３】
ブロック６０２において、コントローラ３０２は、送信器３０４に、第１送信周波数帯域（例えばセルラ周波数帯域のような低周波数帯）または第２送信周波数帯域（例えばＰＣＳ周波数帯のような高周波帯域）で動作させるための周波数帯を選択させる。コントローラ３０２は、例えばサブブロック６０３、６０４、および６０５に記述されている方法を行なうことによって、周波数帯を選択する。他の選択方法が実現されてもよい。
【００５４】
ブロック６０３において、コントローラ３０２は、コントローラ３０２中の周波数帯選択４３４によって、第１送信周波数（例えば低周波数帯、セルラ周波数）のための分周器１１２（４までに分割）を選択することによって、または第２送信周波数（例えば高周波帯域、ＰＣＳ周波数）のための分周器１１４（２で分周）を選択することによって、送信器部分Ａを制御するための制御信号を提供する。
【００５５】
ブロック６０４において、コントローラ３０２は、周波数帯選択４３４によって、変圧器１１８へのそれぞれ入力および出力におけるキャパシタ４２２（Ｃｔｕｎｅ）および４２３（Ｃｔｕｎｅ２）の同調を取ることによって、送信器部分Ｂを制御するための制御信号を提供する。例えば、キャパシタ４２２および４２３は、送信器３０４が第１周波数帯（例えばセルラ用低周波数帯）において適切な信号を送ることを可能にするために、３．７ｐＦおよび１．０ｐＦにそれぞれ同調させられる。さらに、例えば、キャパシタ４２２および４２３は、送信器３０４が第２周波数帯（例えばＰＣＳ用高周波帯域）において適切な信号を送ることを可能にするために、各々０．０ｐＦに同調させられる。
【００５６】
ブロック６０５において、コントローラ３０２は、コントローラ３０２中の周波数帯選択４３４によって、第１送信周波数（例えばセルラ用低周波数帯）のための一方のＲＦスイッチ４２８を選択することによって、または第２送信周波数（例えばＰＣＳ用高周波帯域）のためのＲＦスイッチ４３０を選択することによって、送信器部分Ｄを制御するための制御信号を提供する。
【００５７】
ブロック６０６において、コントローラ３０２は、周波数帯選択４３４によって、出力整合ネットワーク４２６におけるキャパシタ４２７（Ｃｔｕｎｅ３）を特定の値に同調させることによって、送信器部分Ｄを制御するための制御信号を提供する。例えば、キャパシタ４２７は、送信器３０４が第１周波数帯（例えばセルラ用低周波数帯）において適切な信号を送ることを可能にするために、第１の適切な値に同調させられる。また、例えば、キャパシタ４２７は、送信器３０４が第２周波数帯（例えばＰＣＳ用高周波帯域）において適切な信号を送ることを可能にするために、第２の適切な値に同調させられる。
【００５８】
ブロック６０７において、コントローラ３０２は、利得調整４３６によって、送信信号（Ｔｘ  ＩＱ）のベースバンド入力電力レベルを特定の値に同調させることによって、送信器部分Ｅを制御するための制御信号を提供する。例えば、送信信号（Ｔｘ  ＩＱ）のためのベースバンド入力電力レベルは、送信器３０４が第１周波数帯（例えばセルラ用低周波数帯）において適切な信号を送ることを可能にするために、０．８に調整される。また、例えば、送信信号（Ｔｘ  ＩＱ）のためのベースバンド入力電力レベルは、送信器３０４が第２周波数帯（例えばＰＣＳ用高周波帯域）において適切な信号を送ることを可能にするために、０．６に調整される。
【００５９】
ブロック６０９において、方法６００は、例えば装置３００についての別の工程に継続することとして終了する。
【００６０】
デュアルバンド送信器３０４は、ＢＢ  ＶＧＡ４０４、ベースバンドフィルタ１０２、ミキサ１０４、ＶＧＡ１１６、変圧器１１８、ドライバ増幅器１２０、および出力整合ネットワーク４２６の経路に沿って、ＲＦＩＣ４０２を貫く１つの送信信号経路を提供する。送信器３０４は、第１送信周波数帯域（例えばセルラ周波数帯域）または第２送信周波数帯域（例えばＰＣＳ周波数帯）のいずれかにおいて送信しながら適切な性能を有している。第１および第２周波数帯の両方のための１つの送信信号経路は、例えば図１および図２においてそれぞれ示されているような既存のデュアルバンド送信器１００および２００より小型である。これらの進歩は、ＲＦＩＣ４０２上のＡ、Ｂ、Ｃ、Ｄ、およびＥとして識別されている技術の１つ以上を実現することによって可能になる。例えば、図２に示されている送信器２００と比較された場合、デュアルバンド送信器３０４は、１つの変圧器１１８および１つのドライバ増幅器１２０を使用することだけで送信器ダイサイズを４０％減じ、それによって集積回路ダイの対応するコストおよびＩＣパッケージのコストならびにサイズを減じる。
【００６１】
本明細書において含まれているシステム、要素、および（または）工程は、ハードウェア、ソフトウェアまたは両方の組合せにおいて実現され得、１つ以上のコントローラを含み得る。コントローラは、装置および（または）タスクを行なうための機械可読命令の組である。コントローラは、工程を具体化する一連の命令を実行可能なあらゆる装置であり、コンピュータ、マイクロプロセッサ、プロセッサ、特定用途向け集積回路（ＡＳＩＣ）、有限ステートマシン、ディジタル信号プロセッサ（ＤＳＰ）または他の機構を含んでいる（これらに限定されない）。コントローラは、ハードウェア、ファームウェアの任意の組合せ、および（または）ソフトウェアを含んでいる。コントローラは、実行アプリケーションまたはプロシージャまたは情報装置による使用のための情報を計算し、操作し、分析し、修正し、変換することによって、および（または）情報を出力装置へルーティングすることによって、格納されかつ（または）受け取られた情報に基づいて動作する。
【００６２】
実行アプリケーションは、所定の機能を実行するためのマシンコードまたは機械可読命令（例えばユーザーコマンドまたは入力に応じて、例えば、オペレーティングシステム、ソフトウェアアプリケーションプログラムまたは他の情報処理システムのためのものを含む）を例えば具備する。
【００６３】
実行プロシージャは、コード（すなわち機械可読命令）、サブルーチン、またはコードあるいは１つ以上の特定の工程を行なうための実行アプリケーションの一部の区別可能な部分であり、受け取られた入力パラメータ（または受け取られた入力パラメータに応じて）に対して動作を行なうとともに結果得られる出力パラメータを提供することを含み得る。
【００６４】
様々な実施形態において、ハードウェア組み込み型回路がソフトウェア命令と結合して使用されて本発明を実現してもよい。したがって、本技術は、ハードウェア回路とソフトウェアの任意の具体的な組合せに限定されるべきではなく、データ処理システムによって実行される命令のための任意の具体的な出所にも限定されるべきではない。また、本記述の全体にわたって、様々な機能および動作は、記述を簡素化するために、ソフトウェアコードによって行なわれるか、ソフトウェアコードによって引き起こされるものとして記述されている。しかしながら、当業者は、そのような表現によって意味されることが、プロセッサによるコードの実行の結果、機能が生じているのであるということを認識するだろう。
【００６５】
本記述から、本発明の側面がソフトウェアにおいて少なくとも一部のみ具現され得ることが明らかであろう。すなわち、本技術は、コンピュータシステムまたは他のデータ処理システム中で、その実行するプロセッサが機械可読媒体に含まれている一連の命令を実行することに応答して、実行され得る。
【００６６】
機械可読媒体は、機械（例えばコンピュータ、ネットワーク装置、携帯情報端末、コンピュータ、データプロセッサ、製造ツール、１つ以上のプロセッサの組を備えたあらゆる装置）によるアクセスが可能な形態で情報を提供する（すなわち、格納および（または）送信する）任意の機構を含んでいる。機械可読媒体が使用されて、データ処理システムによって実行されるとシステムに本発明の様々な方法を実行させるソフトウェアおよびデータを格納することが可能である。この実行ソフトウェアおよび（または）データの部分は様々な場所に格納され得る。例えば、機械可読媒体は、記録可能な／非記録可能な物理的媒体（例えば読み取り専用メモリ（ＲＯＭ）、ランダムアクセスメモリ（ＲＡＭ）、磁気ディスク記憶装置媒体、光学的記憶媒体、フラッシュメモリ装置、不揮発性メモリ、キャッシュ、遠隔ストレージ装置など）や、電気的、光学的、音響的、あるいは伝播された信号（例えば搬送波、無線周波数信号、赤外線信号、ディジタル信号など）のその他の形態などを含んでいる。
【００６７】
ここまでの明細書では、本発明はその具体的かつ典型的な実施形態を参照して記述されている。様々な修正が、次の請求項で示されるような本発明のより広い思想および範囲から外れることなくなされ得ることは明らかだろう。したがって、明細書および図面は限定的な意味ではなく説明的な意味で考慮されるべきである。
【図１】
2011501520.tif 000003
【図２】
2011501520.tif 000004
【図３】
2011501520.tif 000005
【図４】
2011501520.tif 000006
【図５】
2011501520.tif 000007
【図６】
2011501520.tif 000008
【国際調査報告】
2011501520.tif 000009
2011501520.tif 000010
2011501520.tif 000011